Podtech/llm-jp-corpus-v4-ja_patent huggingface dataset:
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
トイレブースの第１の壁面から突出するようにして設けられた少なくとも前面と上面とが遮蔽された第１のライニングと、
前記第１のライニングの前方に設置された便器と、
を備え、
前記便器の着座部分と、前記第１のライニングの上面との高さの差が、３００ｍｍ以上、４００ｍｍ以下であること、を特徴とする多目的トイレユニット。
【請求項２】
トイレブースの第１の壁面から突出するようにして設けられた少なくとも前面と上面とが遮蔽された第１のライニングと、
前記第１のライニングの前方に設置された便器と、
を備え、
前記便器に着座した人が前記第１のライニングの方向に向けてのけぞった場合には、前記第１のライニングの上面の上方であって、前記第１のライニングの前面と前記第１の壁面との間に形成された空間に、前記着座した人の少なくとも肩甲骨より上の部位が侵入可能とされていること、を特徴とする多目的トイレユニット。
【請求項３】
トイレブースの第１の壁面から突出するようにして設けられた少なくとも前面と上面とが遮蔽された第１のライニングと、
前記第１のライニングの前方に設置された便器と、
を備え、
車椅子使用者が前記便器に着座をするために、車椅子から便器へと移動をする場合には、前記第１のライニングの上面の上方であって、前記第１のライニングの前面と前記第１の壁面との間に形成された空間に、前記移動をする人の少なくとも頭部が侵入可能とされていること、を特徴とする多目的トイレユニット。
【請求項４】
前記第１のライニングの前記上面の高さは、床から７００ｍｍ以上、８００ｍｍ以下であること、を特徴とする請求項１〜３のいずれか１つに記載の多目的トイレユニット。
【請求項５】
前記トイレブースの前記第１の壁面と略直行する第２の壁面から突出するようにして設けられた少なくとも前面と上面と底面とが遮蔽された第２のライニングをさらに備え、
前記第２のライニングの底面が床から離間するようにして設けられ、
前記底面と床面との間に形成された空間に、車椅子のフットレスト部分が侵入可能とされていること、を特徴とする請求項１〜４のいずれか１つに記載の多目的トイレユニット。
【請求項６】
前記空間の高さ寸法は、３００ｍｍ以上であること、を特徴とする請求項５記載の多目的トイレユニット。
【請求項７】
前記第２のライニングと前記便器との間に設けられ、前記第２のライニングの前面と略平行な水平部を有する手すりをさらに備え、
前記手すりの前記水平部の中心は、前記第２のライニングの前記上面から下方に１５０ｍｍの範囲以内に設けられていること、を特徴とする請求項５または６に記載の多目的トイレユニット。
【請求項８】
前記便器の側方であって、前記第２のライニングの前記上面に埋め込むようにして設けられた手洗い器をさらに備え、
前記手洗い器は、前記第２のライニングの前記上面方向および前記前面方向に開口を有すること、を特徴とする請求項５〜７のいずれか１つに記載の多目的トイレユニット。
【請求項９】
前記手洗い器は水栓を備え、
前記水栓は、前記手洗い器の内壁面に設けられていること、を特徴とする請求項８記載の多目的トイレユニット。
【請求項１０】
汚物流しユニットと、
前記第１のライニングの前面の前記便器を挟んで前記第２のライニングと対向する側に設けられた跳ね上げ手すりと、をさらに備え、
前記汚物流しユニットのボウルが、前記第１のライニングの前面であって前記跳ね上げ手すりを挟んで前記第２のライニングと対向する側に設けられていること、を特徴とする請求項５〜９のいずれか１つに記載の多目的トイレユニット。
【請求項１１】
前記ボウルの上面と、前記第１のライニングの前記上面とが近接する高さの位置にあること、を特徴とする請求項１０記載の多目的トイレユニット。
【手続補正２】
【補正対象書類名】明細書
【補正対象項目名】０００８
【補正方法】変更
【補正の内容】
【０００８】
本発明の一態様によれば、トイレブースの第１の壁面から突出するようにして設けられた少なくとも前面と上面とが遮蔽された第１のライニングと、前記第１のライニングの前方に設置された便器と、を備え、前記便器の着座部分と、前記第１のライニングの上面との高さの差が、３００ｍｍ以上、４００ｍｍ以下であること、を特徴とする多目的トイレユニットが提供される。
【手続補正３】
【補正対象書類名】明細書
【補正対象項目名】０００９
【補正方法】変更
【補正の内容】
【０００９】
本発明の他の一態様によれば、トイレブースの第１の壁面から突出するようにして設けられた少なくとも前面と上面とが遮蔽された第１のライニングと、前記第１のライニングの前方に設置された便器と、を備え、前記便器に着座した人が前記第１のライニングの方向に向けてのけぞった場合には、前記第１のライニングの上面の上方であって、前記第１のライニングの前面と前記第１の壁面との間に形成された空間に、前記着座した人の少なくとも肩甲骨より上の部位が侵入可能とされていること、を特徴とする多目的トイレユニットが提供される。
また、本発明の他の一態様によれば、トイレブースの第１の壁面から突出するようにして設けられた少なくとも前面と上面とが遮蔽された第１のライニングと、前記第１のライニングの前方に設置された便器と、を備え、車椅子使用者が前記便器に着座をするために、車椅子から便器へと移動をする場合には、前記第１のライニングの上面の上方であって、前記第１のライニングの前面と前記第１の壁面との間に形成された空間に、前記移動をする人の少なくとも頭部が侵入可能とされていること、を特徴とする多目的トイレユニットが提供される。
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
内側及び外側のドアパネル間の空間に幅方向に延びるように配置され、両端部においてドアパネルへの取付部を備え、一対の縦壁と、前記一対の縦壁を接続する横壁とからなり、横壁と離間側に開口部を形成した自動車のドアガードバーにおいて、前記横壁は外側ドアパネルに対向し、開口部は内側ドアパネルに対向するように配置されており、かつ前記横壁に夫々の縦壁に連接させて外側ドアパネルに向け突出する形状のビード部を形成した自動車のドアガードバー。
【請求項２】
請求項１に記載の発明において、横壁から離間側の縦壁の端部は内側に折り返されたフランジ部を形成している自動車のドアガードバー。
【請求項３】
請求項２に記載の発明において、前記取付部はドアガードバーと一体に鋼板よりプレス成形された自動車のドアガードバー。
【請求項４】
請求項１から３のいずれか一項に記載の発明において、前記ビード部の周長Ｌとし、ビード部の幅をｄとしたとき、Ｌ−ｄ≧４ｍｍである自動車のドアガードバー。
【手続補正書】
【提出日】平成22年4月6日(2010.4.6)
【手続補正１】
【補正対象書類名】明細書
【補正対象項目名】００２９
【補正方法】変更
【補正の内容】
【００２９】
また、ステアリングメンバー本体１には、他に車体と締結するインストステイブラケット６、７やポストブラケット５が取付けられている。
【手続補正２】
【補正対象書類名】明細書
【補正対象項目名】００３４
【補正方法】変更
【補正の内容】
【００３４】
上記のように構成する本発明の実施の形態におけるステアリングメンバーは、ステアリングメンバー本体１におけるステアリング支持部位１ｃに、ステアリングメンバー本体１の内壁部１ｄに取付けフランジ部８ｂの外周端部が固着されたブラケットバルクヘッド８、８が存することから、ステアリングメンバー本体１の断面変形を抑えてステアリング支持剛性を向上させて所望の断面二次モーメントを得ることができ、しかも、ステアリングメンバー本体１の板厚増或いは外形増を抑えて軽量且つ安価なものとすることができる。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
Ｘ線を曝射するＸ線源と、
入射するＸ線を感知する２次元の検出領域を有し、当該検出領域で感知したＸ線に応じたデジタル量の電気信号を２次元のフレームデータとして一定のフレームレートで出力する検出器と、
前記Ｘ線源及び前記検出器が対象物を挟んで互いに対向するように配置した状態で、当該Ｘ線源及び検出器の対を、予め指定された標準断層面に焦点を合わせながら当該対象物の周りを移動させる移動駆動手段と、
この移動駆動手段が前記Ｘ線源及び前記検出器の対を前記対象物の周りを移動させている間に、当該検出器が出力する電気信号をフレームデータとして記憶する記憶手段と、
前記移動駆動手段によって前記Ｘ線源及び前記検出器の対が移動せられる実空間上の位置と、前記記憶手段に記憶されている複数のフレームデータとそれらのフレームデータをメモリ空間上で写像してパノラマ画像を再構成するときの写像位置とにより決まる座標上の曲線の傾きとして定義されるゲインと、の対応情報を予め取得する取得手段と、
前記取得手段により取得されている前記対応情報に基づき、前記記憶手段に記憶された前記フレームデータから前記実空間上の任意の意図した断層面のパノラマ画像を生成するパノラマ画像生成手段と、を備えたパノラマ画像撮影装置において、
前記任意の意図した断層面を、前記標準断層面、当該標準断層面を前記実空間上で移動させた断層面、及び当該標準断層面を縮小又は拡大させた断層面のうちの何れか断層面の一部の面とし、前記Ｘ線源から曝射されたＸ線が当該一部の面のみ透過するように当該Ｘ線の透過を制御するＸ線透過制御手段を備えたことを特徴とするパノラマ画像撮影装置。
【請求項２】
請求項１に記載のパノラマ画像撮影装置において、
前記パノラマ画像生成手段は、
前記取得手段により取得された前記対応情報から前記任意の意図した断層面のパノラマ画像を再構成するための前記曲線を演算する曲線演算手段と、
この曲線演算手段により演算された曲線を用いて前記記憶手段に記憶された前記フレームデータから前記一部の面のパノラマ画像を再構成する再構成手段と、
を備えたことを特徴とするパノラマ画像撮影装置。
【請求項３】
請求項１に記載のパノラマ画像撮影装置において、
前記Ｘ線透過制御手段は、
前記Ｘ線源から前記対象物に向けて曝射されるＸ線を遮断可能なシャッタと、
前記Ｘ線から曝射されたＸ線が前記一部の面のみ透過するように前記シャッタの前記遮動作を制御するシャッタ制御手段と、を備えたことを特徴とするパノラマ画像撮影装置。
【請求項４】
Ｘ線を曝射するＸ線源と、
入射するＸ線を感知する２次元の検出領域を有し、当該検出領域で感知したＸ線に応じたデジタル量の電気信号を２次元のフレームデータとして一定のフレームレートで出力する検出器と、
前記Ｘ線源及び前記検出器が対象物を挟んで互いに対向するように配置した状態で、当該Ｘ線源及び検出器の対を、予め指定された標準断層面に焦点を合わせながら当該対象物の周りを移動させる移動駆動手段と、
この移動駆動手段が前記Ｘ線源及び前記検出器の対を前記対象物の周りを移動させている間に、当該検出器が出力する電気信号をフレームデータとして記憶する記憶手段と、
前記移動駆動手段によって前記Ｘ線源及び前記検出器の対が移動せられる実空間上の位置と、前記記憶手段に記憶されている複数のフレームデータとそれらのフレームデータをメモリ空間上で写像してパノラマ画像を再構成するときの写像位置とにより決まる座標上の曲線の傾きとして定義されるゲインと、の対応情報を予め取得する取得手段と、
前記取得手段により取得されている前記対応情報に基づき、前記記憶手段に記憶された前記フレームデータから前記実空間上の任意の意図した断層面のパノラマ画像を生成するパノラマ画像生成手段と、
前記任意の意図した断層面を前記標準断層面以外の前記実空間上の任意の断層面とし、この任意の断層面に前記対象物を位置決めする位置決め手段と、を備え、
前記パノラマ画像生成手段は、
前記取得手段により取得された前記対応情報から前記任意の意図した断層面のパノラマ画像を再構成するための前記曲線を演算する曲線演算手段と、
この曲線演算手段により演算された曲線を用いて前記記憶手段に記憶された前記フレームデータから前記任意の意図した断層面のパノラマ画像を再構成する再構成手段と、
を備えたことを特徴とするパノラマ画像撮影装置。
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、該第１利益付与判定手段による判定がなされたことに基づいて複数種類の第１図柄情報の変動表示を開始して所定期間経過後に所定の表示結果を導出表示する第１表示手段と、前記複数の始動口のうち第２始動口に遊技球が入球したことに基づいて遊技者に所定の利益を付与する利益付与状態に制御するか否かを判定する第２利益付与判定手段と、該第２利益付与判定手段による判定がなされたことに基づいて複数種類の第２図柄情報の変動表示を開始して所定期間経過後に所定の表示結果を導出表示する第２表示手段と、を備え、前記第１利益付与判定手段により前記利益付与状態に制御すると判定されたことに基づいて前記第１表示手段に第１図柄情報の特定の表示結果を導出表示し、前記第２利益付与判定手段により前記利益付与状態に制御すると判定されたことに基づいて前記第２表示手段に第２図柄情報の特定の表示結果を導出表示する遊技機であって、
前記遊技領域に設けられ、前記第２始動口への遊技球の入球を容易にする開放状態と遊技球の入球を困難にする閉塞状態とに変化可能な開閉装置と、
前記遊技領域に設けられた通過ゲートと、
該通過ゲートを遊技球が通過したことに基づいて前記開閉装置を前記開放状態に制御するか否かを判定する開閉判定手段と、
該開閉判定手段によって前記開閉装置を前記開放状態に制御すると判定されたことに基づいて前記開閉装置を前記開放状態に制御し、所定期間が経過したときに前記開閉装置を前記閉塞状態に制御する開閉制御手段と、
前記開閉装置の開閉制御を通じて、前記第２始動口への遊技球の入球を困難とする通常遊技状態と、前記利益付与状態への制御を契機として設定される遊技状態であって前記第２始動口への遊技球の入球を容易とする時短遊技状態と、に当該遊技機の状態を設定可能な遊技状態設定手段と、
前記第１表示手段に前記第１図柄情報の変動表示が行われる背景となる第１背景情報を表示制御する第１背景情報制御手段と、
前記第２表示手段に前記第２図柄情報の変動表示が行われる背景として前記第１背景情報とは異なる様相を呈する第２背景情報を表示制御する第２背景情報制御手段と、
前記第１利益付与判定手段による判定がなされたことに基づいて前記第１表示手段を制御して前記第１図柄情報の変動表示を実行する第１表示制御手段と、
前記第２利益付与判定手段による判定がなされたことに基づいて前記第２表示手段を制御して前記第２図柄情報の変動表示を実行する第２表示制御手段と、
前記第１表示制御手段によって前記第１図柄情報の変動表示を開始するとき、前記利益付与状態に制御される確率が高いことを示唆する特別演出を実行するか否かを判定し、前記第１利益付与判定手段によって前記利益付与状態に制御すると判定されたときには前記利益付与状態に制御しないと判定されたときよりも高い割合で前記特別演出を実行すると判定する特別演出判定手段と、を備え、
前記第１表示制御手段は、主として前記第１利益付与判定手段による判定がなされたことに基づいて前記第１表示手段を制御して前記第１図柄情報を変動表示する一方、前記特別演出判定手段によって前記特別演出を実行すると判定されたとき、前記特別演出として、前記第１表示手段を制御して前記変動表示を実行し、前記第１利益付与判定手段による判定がなされてから前記所定期間が経過する以前に前記第１表示手段に前記特定の表示結果とは異なる表示結果を一旦導出表示した後、前記第２表示手段を制御して前記変動表示を実行し、前記第１利益付与判定手段による判定がなされてから前記所定期間が経過したことに基づいて前記第２表示手段に前記第１利益付与判定手段の判定結果に応じた表示結果を導出表示することを特徴とする遊技機。
【請求項２】
前記第２背景情報制御手段は、前記第２背景情報として複数種類の演出情報を前記第２図柄情報の変動方向と同じ方向に変動表示することを特徴とする請求項１記載の遊技機。
【請求項３】
前記第２背景情報制御手段は、前記第２背景情報として前記第２図柄情報と同態様の前記演出情報を変動表示することを特徴とする請求項２記載の遊技機。
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、該第１利益付与判定手段による判定がなされたことに基づいて複数種類の第１図柄情報の変動表示を開始して所定期間経過後に所定の表示結果を導出表示する第１表示手段と、前記複数の始動口のうち第２始動口に遊技球が入球したことに基づいて遊技者に所定の利益を付与する利益付与状態に制御するか否かを判定する第２利益付与判定手段と、該第２利益付与判定手段による判定がなされたことに基づいて複数種類の第２図柄情報の変動表示を開始して所定期間経過後に所定の表示結果を導出表示する第２表示手段と、を備え、前記第１利益付与判定手段により前記利益付与状態に制御すると判定されたことに基づいて前記第１表示手段に第１図柄情報の特定の表示結果を導出表示し、前記第２利益付与判定手段により前記利益付与状態に制御すると判定されたことに基づいて前記第２表示手段に第２図柄情報の特定の表示結果を導出表示する遊技機であって、
前記遊技領域に設けられ、前記第２始動口への遊技球の入球を容易にする開放状態と遊技球の入球を困難にする閉塞状態とに変化可能な開閉装置と、
前記遊技領域に設けられた通過ゲートと、
該通過ゲートを遊技球が通過したことに基づいて前記開閉装置を前記開放状態に制御するか否かを判定する開閉判定手段と、
該開閉判定手段によって前記開閉装置を前記開放状態に制御すると判定されたことに基づいて前記開閉装置を前記開放状態に制御し、所定期間が経過したときに前記開閉装置を前記閉塞状態に制御する開閉制御手段と、
前記開閉装置の開閉制御を通じて、前記第２始動口への遊技球の入球を困難とする通常遊技状態と、前記利益付与状態への制御を契機として設定される遊技状態であって前記第２始動口への遊技球の入球を容易とする時短遊技状態と、に当該遊技機の状態を設定可能な遊技状態設定手段と、
前記第１利益付与判定手段による判定がなされたことに基づいて前記第１表示手段を制御して前記第１図柄情報の変動表示を実行する第１表示制御手段と、
前記第２利益付与判定手段による判定がなされたことに基づいて前記第２表示手段を制御して前記第２図柄情報の変動表示を実行する第２表示制御手段と、
前記第１利益付与判定手段による判定がなされたときに前記第１表示制御手段によって前記第１表示手段の制御を中断する一方、前記第２表示手段を制御して前記第２図柄情報の変動表示を実行する入替演出を実行するか否か判定する入替演出判定手段と、を備え、
前記入替演出判定手段は、前記第１利益付与判定手段による判定がなされたときに前記第２図柄情報の変動表示が所定期間実行されていないことを条件に前記入替演出を実行すると判定することを特徴とする遊技機。
【請求項２】
前記入替演出判定手段によって前記入替演出を実行すると判定されたことに基づいて前記第１表示制御手段によって前記第２表示手段を制御して前記第２図柄情報の変動表示を実行しているときに、前記第２始動口へ遊技球が入球したことに基づいて前記第２利益付与判定手段による判定がなされたとき、
前記第１表示制御手段は、前記第２表示手段を継続して制御し、前記第１利益付与判定手段による判定がなされてから前記所定期間が経過したことに基づいて前記第２表示手段を制御して前記第１利益付与判定手段の判定結果に応じた表示結果を導出表示し、
前記第２表示制御手段は、前記第２利益付与判定手段によって前記利益付与状態に制御すると判定されたことを条件に、前記第１表示手段を制御して前記第１図柄情報の変動表示を実行し、前記第２利益付与判定手段による判定がなされてから前記所定期間が経過したことに基づいて前記第１表示手段を制御して前記第２利益付与判定手段の判定結果に応じた前記特定の表示結果を導出表示することを特徴とする請求項１記載の遊技機。
【請求項３】
前記第１表示制御手段によって前記第１表示手段を制御して実行した前記第１図柄情報の変動表示の実行回数を計数する変動回数計数手段と、
該変動回数計数手段によって計数した前記第１図柄情報の変動表示の実行回数が所定回数に達したか否かを判定する変動回数判定手段と、を備え、
前記入替演出判定手段は、前記変動回数判定手段によって前記第１図柄情報の変動表示の実行回数が所定回数に達したと判定されていることを条件に前記入替演出を実行すると判定し、
前記変動回数計数手段は、前記入替演出判定手段によって前記入替演出を実行すると判定されたとき及び前記第２利益付与判定手段による判定がなされたときに前記実行回数を初期値に更新することを特徴とする請求項１又は請求項２に記載の遊技機。
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、前記複数の始動口のうち第２始動口に遊技球が入球したことに基づいて遊技者に所定の利益を付与する利益付与状態に制御するか否かを判定する第２利益付与判定手段と、前記第１利益付与判定手段による判定がなされたことに基づいて複数種類の第１図柄情報の変動表示を開始して所定期間経過後に所定の表示結果を導出表示し、前記第２利益付与判定手段による判定がなされたことに基づいて複数種類の第２図柄情報の変動表示を開始して所定期間経過後に所定の表示結果を導出表示する表示手段と、を備え、前記第１利益付与判定手段により前記利益付与状態に制御すると判定されたことに基づいて前記表示結果として特定の表示結果を導出表示し、前記第２利益付与判定手段により前記利益付与状態に制御すると判定されたことに基づいて前記表示結果として特定の表示結果を導出表示する遊技機であって、
前記遊技領域に設けられ、前記第２始動口への遊技球の入球を容易にする開放状態と遊技球の入球を困難にする閉塞状態とに変化可能な開閉装置と、
前記遊技領域に設けられた通過ゲートと、
該通過ゲートを遊技球が通過したことに基づいて前記開閉装置を前記開放状態に制御するか否かを判定する開閉判定手段と、
該開閉判定手段によって前記開閉装置を前記開放状態に制御すると判定されたことに基づいて前記開閉装置を前記開放状態に制御し、所定期間が経過したときに前記開閉装置を前記閉塞状態に制御する開閉制御手段と、
前記開閉装置の開閉制御を通じて、前記第２始動口への遊技球の入球を困難とする通常遊技状態と、前記利益付与状態への制御を契機として設定される遊技状態であって前記第２始動口への遊技球の入球を容易とする時短遊技状態と、に当該遊技機の状態を設定可能な遊技状態設定手段と、
前記第１利益付与判定手段による判定がなされたことに基づいて前記表示手段を制御して前記第１図柄情報の変動表示を実行する第１表示制御手段と、
前記第２利益付与判定手段による判定がなされたことに基づいて前記表示手段を制御して前記第２図柄情報の変動表示を実行する第２表示制御手段と、
前記第１図柄情報が表示制御される領域と前記第２図柄情報が表示制御される領域とに区分けされ、前記表示手段の全域に亘って表示制御される一連の態様であって、前記第１図柄情報及び前記第２図柄情報の変動表示が行われる背景となる背景情報を表示制御する背景情報制御手段と、を備え、
前記第１表示制御手段は、前記第１図柄情報の制御状態を把握することが容易な態様で前記第１図柄情報を表示制御し、
前記第２表示制御手段は、所定条件が成立していないことを条件に前記第２図柄情報の制御状態を把握することが困難な態様で前記第２図柄情報を表示制御し、前記所定条件が成立していることを条件に前記第２図柄情報の制御状態を把握することが容易な態様で前記第２図柄情報を表示制御することを特徴とする遊技機。
【請求項２】
前記第２表示制御手段は、少なくとも前記第２利益付与判定手段によって前記利益付与状態に制御すると判定されたときに前記第２図柄情報の制御状態を把握することが容易な態様で前記第２図柄情報を表示制御することを特徴とする請求項１記載の遊技機。
【請求項３】
前記第１表示制御手段によって前記第１図柄情報の変動表示を開始するとき、前記利益付与状態に制御される確率が高いことを示唆する特別演出を実行するか否かを判定し、前記第１利益付与判定手段によって前記利益付与状態に制御すると判定されたときには前記利益付与状態に制御しないと判定されたときよりも高い割合で前記特別演出を実行すると判定する特別演出判定手段をさらに備え、
前記第１表示制御手段は、主として前記第１利益付与判定手段による判定がなされたことに基づいて前記第１図柄情報を変動表示する一方、前記特別演出判定手段によって前記特別演出を実行すると判定されたとき、前記特別演出として、前記第１図柄情報の変動表示を実行して前記第１利益付与判定手段による判定がなされてから所定期間が経過する以前に前記第１図柄情報の前記特定の表示結果とは異なる表示結果を一旦導出表示した後、前記第２図柄情報の制御状態を把握することが容易な態様で前記第２図柄情報を表示制御するとともに該第２図柄情報の変動表示を実行し、前記第１利益付与判定手段による判定がなされてから前記所定期間が経過したことに基づいて前記第１利益付与判定手段の判定結果に応じた前記第２図柄情報の表示結果を導出表示することを特徴とする請求項１又は請求項２に遊技機。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
記録メディアに記録された画像データを入力する画像データ読み込み手段と、
前記画像データの印刷方法を選択するサービス選択手段と、
前記画像データを前記サービス選択手段により選択された印刷方法によりプリンタで印刷する印刷手段と、
前記プリンタの印画特性を、個々のプリンタの特性に合わせて補正する第１のプリンタ特性補正手段と、
前記プリンタの印画特性を、前記サービス選択手段により選択された印刷方法に合わせて補正する第２のプリンタ特性補正手段と、
を有することを特徴とする画像プリント装置。
【請求項２】
前記サービス選択手段により選択可能な前記印刷方法には、少なくとも、証明写真、インデックスプリント、フレームプリント、通常プリントのいずれかがあることを特徴とする請求項１記載の画像プリント装置。
【請求項３】
前記第１のプリンタ特性補正手段により変更可能な前記印画特性は、明るさ、コントラスト、カラーバランス、回転角度であることを特徴とする請求項１記載の画像プリント装置。
【請求項４】
前記第２のプリンタ特性補正手段により変更可能な前記印画特性は、明るさ、コントラスト、カラーバランス、回転角度であることを特徴とする請求項１記載の画像プリント装置。
【請求項５】
コンピュータを、請求項１記載の画像プリント装置として機能させるプログラム。
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
振動板と、前記振動板にギャップを隔てて対向する個別電極とを有し、前記振動板と前記個別電極との間に駆動電圧を印加することにより前記振動板を静電吸引力により変形させる静電アクチュエータであって、
前記振動板と前記個別電極との距離が、前記個別電極の中央部よりも前記個別電極の外周部側で長くなっており、
前記個別電極の外周部に周状の凹部を有し、該凹部の内側が前記個別電極の中央部となっていることを特徴とする静電アクチュエータ。
【請求項２】
前記個別電極の外周部の膜厚が、前記個別電極の中央部に比べて薄くなっていることを特徴とする請求項１記載の静電アクチュエータ。
【請求項３】
前記振動板と対向する位置に凹部が形成され、該凹部の底面に前記個別電極が形成された電極基板を備え、前記凹部の底面中央部に凸部を形成し、該凸部を含む前記凹部の底面に前記個別電極が一定の厚みで形成されていることを特徴とする請求項１記載の静電アクチュエータ。
【請求項４】
前記個別電極の外周部の膜厚が、前記個別電極の中央部から前記個別電極の外周部に向かって連続して薄くなっていることを特徴とする請求項１記載の静電アクチュエータ。
【請求項５】
前記個別電極の中央部の外周端と前記振動板の固定端部との平面方向の距離と、前記個別電極の中央部と前記振動板との距離とが、駆動時に前記振動板の破壊が生じない寸法に設定されていることを特徴とする請求項１乃至請求項４の何れかに記載の静電アクチュエータ。
【請求項６】
液滴を吐出するための複数のノズル孔と、該各ノズル孔に連通して設けられて液滴に圧力を加えるための圧力室と、該圧力室に液滴を供給する液滴供給路と、請求項１乃至請求項５の何れかに記載の静電アクチュエータとを備え、該静電アクチュエータで前記圧力室に圧力を加えることにより前記ノズル孔から液滴を吐出することを特徴とする液滴吐出ヘッド。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
折り畳み構造を規定するにあたり、初めに対象とする基本パターンを定義することにし、基本パターンは、基本平行四辺形の並進と鏡映で形成され、該平行四辺形は、Ｘ−Ｙ座標系で、任意の長さａのＸ軸方向の底辺をもち、これと長さが等しく平行な上辺をもち、斜辺はＹ軸の左に任意の角θだけ傾斜しており（１，１）と記述され、ｍ，ｎを正の整数（ｎは原則奇数とし、ｎに偶数を要求する場合はその数に１を加えて仮想のｎとする）として、（１，１）を＋Ｘ軸に沿って長さａの並進を順次繰り返して平行四辺形群（１，１），（１，２），（１，３）．．．（１，ｎ）を形成し、これをもととして（１，１）の底辺を鏡面とする鏡像群（２，１），（２，２），（２，３）．．．（２，ｎ）を形成し、同様の操作を（２，１）の底辺を鏡面として順次繰り返し（ｍ，１）７（ｍ，２），（ｍ，３）．．．（ｍ，ｎ）まで行うことにより形成されるパターンと定義し、また、鏡映によって生成される平行四辺形が、当該位置の平行四辺形（２，３）とずれた場合は、＜２，３＞のように記述するとし、次いで、基本パターンへの付加として、（１，１）の右側の斜辺を鏡面とする鏡像＜１，２＞、さらにその右側の斜辺を鏡面とする鏡像＜１，３＞と、その操作をｎ−１回繰り返して外寄りに生成される平行四辺形群（１，１），＜１，２＞，＜１，３＞．．．＜１，ｎ＞の上辺を結ぶ外郭線とその延長線を境界として基本パターンの上部へのマージンの付加、および、（ｍ，ｎ）の左側の斜辺を鏡面とする鏡像＜ｍ，ｎ−１＞、その左側の斜辺を鏡面とする鏡像＜ｍ，ｎ−２＞と、その操作をｎ−１回繰り返して外寄りに生成される平行四辺形群（ｍ，ｎ），＜ｍ，ｎ−１＞，＜ｍ，ｎ−３＞．．．＜ｍ，１＞の下辺を結ぶ外郭線とその延長線を境界として基本パターンの下部へのマージンの付加を行い、こうして形成された修正パターン及びその左右反転パターンで記述される折り線図において、平行四辺形の内部は面要素、平行四辺形の辺の部分は、基本パターン周縁に位置する辺を除き折り線とし、付加したマージン内部では隣接する領域の折り線を延長したことを特徴とする折り畳み構造。
【請求項２】
請求項１において、上辺を結ぶ外郭線を、平行四辺形（１，１）の左上頂点を通り、同上辺の上側と角度θをなす直線で近似して基本パターンの上部にマージンを付加し、また下辺を結ぶ外郭線を、平行四辺形（ｍ，ｎ）の右下頂点を通り、同下辺の下側と角度θをなす直線で近似して基本パターンの下部にマージンを付加することを特徴とする折り畳み構造。
【請求項３】
折り畳み構造を規定するにあたり、初めに対象とする基本パターンを定義することにし、基本パターンは、基本平行四辺形の並進と鏡映で形成され、該平行四辺形は、Ｘ−Ｙ座標系で、任意の長さａのＸ軸方向の底辺をもち、これと長さが等しく平行な上辺をもち、斜辺はＹ軸の左に任意の角θだけ傾斜しており（１，１）と記述され、ｍ，ｎを正の整数（ｎは原則奇数とし、ｎに偶数を要求する場合はその数に１を加えて仮想のｎとする）として、（１，１）を＋Ｘ軸に沿って長さａの並進を順次繰り返して平行四辺形群（１，１），（１，２），（１，３）．．．（１，ｎ）を形成し、これをもととして（１，１）の底辺を鏡面とする鏡像群（２，１），（２，２），（２，３）．．．（２，ｎ）を形成し、同様の操作を（２，１）の底辺を鏡面として順次繰り返し（ｍ，１），（ｍ，２），（ｍ，３）．．．（ｍ，ｎ）まで行うことにより形成されるパターンと定義し、次いで、基本パターンへの付加として、（１，１）の上辺の延長線上および（ｍ，ｎ）の下辺の延長線下に、少なくとも
【数１】
2008284860.tif 000001
幅のＸ軸に平行なエクストラ・マージンを前記パターンに付加し、こうして形成された修正パターン及びその左右反転パターンで記述される折り線図において、平行四辺形の内部は面要素、平行四辺形の辺の部分は、基本パターン周縁に位置する辺を除き折り線とし、付加したエクストラ・マージン内部では隣接する領域の折り線を延長することとし、該折り線図に従って折り線を紙・シート類にエンボスしたことを特徴とする折り畳み構造。
【手続補正書】
【提出日】平成22年5月6日(2010.5.6)
【手続補正１】
【補正対象書類名】特許請求の範囲
【補正対象項目名】請求項３
【補正方法】変更
【補正の内容】
【請求項３】
雄型と雌型とを組み合わせて構成される空間内に成形材料を導入して、該空間形状に成形を行なう成形品製造装置であって、
前記雄型もしくは雌型のいずれか一方に、該雄型と雌型の組み付け方向に対して直交方向に延出された延出部を有し、
該延出部の移動を規制する保持機構を有し、
該保持機構が、前記延出部の前記組み付け方向に対して平行な方向への移動を規制する、
ことを特徴とする成形品製造装置。
【手続補正２】
【補正対象書類名】明細書
【補正対象項目名】０００９
【補正方法】変更
【補正の内容】
【０００９】
請求項３においては、雄型と雌型とを組み合わせて構成される空間内に成形材料を導入して、該空間形状に成形を行なう成形品製造装置であって、前記雄型もしくは雌型のいずれか一方に、該雄型と雌型の組み付け方向に対して直交方向に延出された延出部を有し、該延出部の移動を規制する保持機構を有し、該保持機構が、前記延出部の前記組み付け方向に対して平行な方向への移動を規制する。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
（Ａ）液体を吐出する複数のノズルであって、複数のグループに分けられた複数のノズルと、
（Ｂ）前記ノズルから前記液体を吐出させるための動作をする素子であって、前記複数のノズルに対応して設けられる素子と、
（Ｃ）前記素子に印加される複数種類の駆動信号を生成する駆動信号生成部であって、
（Ｃ１）前記液体を吐出させる際に前記素子に印加される吐出パルスを含んだ第１駆動信号と、
（Ｃ２）前記液体の増粘を抑制する際に前記素子に印加される増粘抑制パルスを、複数含んだ第２駆動信号と、
（Ｃ３）を生成する駆動信号生成部と、
（Ｄ）液体を吐出させる指令に基づいて、前記吐出パルスを前記素子に印加し、
液体を吐出させない指令に基づいて、前記複数の増粘抑制パルスの中から前記グループに応じて選択された特定の増粘抑制パルスを、前記素子に印加する、印加制御部と、
（Ｅ）を有する、液体吐出装置。
【請求項２】
請求項１に記載の液体吐出装置であって、
前記複数のノズルは、
吐出する液体の種類に応じて複数のグループに分けられており、
前記印加制御部は、
前記液体の種類に応じて選択された特定の増粘抑制パルスを、前記素子に印加する、液体吐出装置。
【請求項３】
請求項１又は請求項２に記載の液体吐出装置であって、
前記駆動信号生成部は、
液体の増粘抑制度合いが異なる電圧変化パターンの複数種類の増粘抑制パルスを含んだ前記第２駆動信号を生成し、
前記印加制御部は、
前記複数種類の増粘抑制パルスの中から、特定の種類の増粘抑制パルスを選択する、液体吐出装置。
【請求項４】
請求項３に記載の液体吐出装置であって、
前記複数のノズルは、
吐出する液体の種類に応じて複数のグループに分けられており、
前記印加制御部は、
増粘し易さの度合いが高い液体を吐出させる素子に対し、増粘し易さの度合いが低い液体を吐出させる素子よりも増粘の抑制度合いの高い種類の増粘抑制パルスを選択する、液体吐出装置。
【請求項５】
（Ａ）ノズルから液体を吐出させる際に液体を吐出させるための動作をする素子へ印加される吐出パルスを含んだ第１駆動信号と、前記液体の増粘を抑制する際に前記素子に印加される増粘抑制パルスを複数含んだ第２駆動信号とを、生成すること、
（Ｂ）液体を吐出させる指令に基づいて、前記吐出パルスを前記素子へ印加し、
液体を吐出させない指令に基づいて、前記複数の増粘抑制パルスの中から特定の増粘抑制パルスを、複数のノズルのうち一部のノズルによって構成されたグループに応じて選択し、対応する素子に印加すること、
（Ｃ）を行う、液体吐出方法。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
（Ａ）ノズルから液体を吐出させるための動作をする素子と、
（Ｂ）前記素子を動作させるための電圧変化パターンを有する第１駆動信号を生成する第１駆動信号生成部と、
（Ｃ）前記素子を動作させるための前記第１駆動信号の電圧変化パターンとは異なる他の電圧変化パターンを有する、第２駆動信号を生成する第２駆動信号生成部と、
（Ｄ）前記第１駆動信号の生成に用いられる第１電源を生成するとともに、前記第２駆動信号の生成に用いられ、電源電圧が前記第１電源の電源電圧とは異なる第２電源を生成する、電源生成部と、
（Ｅ）を有する、液体吐出装置。
【請求項２】
請求項１に記載の液体吐出装置であって、
前記電源生成部は、
前記第１駆動信号の振幅に応じた電源電圧に定められた第１電源を生成する第１電源生成部と、
前記第２駆動信号の振幅に応じた電源電圧に定められた第２電源を生成する第２電源生成部とを有する、液体吐出装置。
【請求項３】
請求項１又は請求項２に記載の液体吐出装置であって、
前記第１駆動信号は、最大量の液体を前記ノズルから吐出させる際に前記素子へ印加される最大量吐出パルスを含み、
前記第２駆動信号は、前記最大量吐出パルス以外のパルスを含む、液体吐出装置。
【請求項４】
請求項３に記載の液体吐出装置であって、
前記第２駆動信号は、前記液体の増粘を抑制する際に前記素子へ印加される増粘抑制パルスを含む、液体吐出装置。
【請求項５】
請求項４に記載の液体吐出装置であって、
前記素子は、充電レベルに応じた度合いで変形し、変形によって前記ノズルに連通された圧力室内の液体に圧力変化を与えるものであり、
前記増粘抑制パルスは、前記液体が吐出されない程度の圧力変化を前記圧力室の液体に与えるための動作を、前記素子に行わせる、液体吐出装置。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
微量の液体を流すためのマイクロ流路が凹んで形成されたプラスチック製の基板に、上記マイクロ流路の開放面を塞ぐと共に上記マイクロ流路に連通する液体注入口と液体排出口とが形成された蓋板を接合した構成を有するマイクロ流路デバイスにおいて、
上記基板と上記蓋板との接合、及び上記マイクロ流路の内面の全部又は一部に対するコーティングが共に、有機バインダーを含有するシリカゾルを主成分とする塗膜で行われていることを特徴とするマイクロ流路デバイス。
【請求項２】
上記塗膜が、上記基板と上記蓋板との接合面の両面に各々設けられて、その両面の塗膜どうしが熱圧着されている請求項１記載のマイクロ流路デバイス。
【請求項３】
上記基板が全体にシート材で形成されていて、上記マイクロ流路が形成されている部分では上記基板が裏面側に突出している請求項１又は２記載のマイクロ流路デバイス。
【請求項４】
上記基板と上記蓋板の少なくとも一方の上記マイクロ流路に面する位置に電気配線が設けられている請求項１ないし３のいずれかの項に記載のマイクロ流路デバイス。
【請求項５】
上記電気配線が上記塗膜の裏側に配置されて、上記電気配線が上記マイクロ流路内に露出しない状態になっている請求項４記載のマイクロ流路デバイス。
【請求項６】
上記基板と上記蓋板の少なくとも一方の素材として、電気配線が予め埋設されたフレキシブル基板が用いられている請求項４記載のマイクロ流路デバイス。
【請求項７】
上記蓋板が上記基板と同じプラスチック材で形成されている請求項１ないし６のいずれかの項に記載のマイクロ流路デバイス。
【請求項８】
上記蓋板がガラス材で形成されている請求項１ないし６のいずれかの項に記載のマイクロ流路デバイス。
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
ロールシート取り付け位置に取り付けられたロールシートに画像を記録する記録装置であって、
前記取り付け位置に取り付けられたロールシートの情報を設定する設定手段と、
ロールシートの有無を検出する検出手段と、
前記取り付け位置に取り付けられたロールシートを取り外すための操作がなされてからロールシートの前記取り付け位置への取り付けの操作がなされるまでの間に、前記検出手段によりロールシートが無いことが検出されたか判断する判断手段と、
前記判断手段により、前記検出手段によりロールシートが無いことが検出されたと判断された場合、前記設定手段により設定されたロールシートの情報の再設定を行わせ、前記検出手段によりロールシートが無いことが検出されなかったと判断された場合、前記設定手段により設定されたロールシートの情報を維持するよう制御する制御手段と、
を有することを特徴とする記録装置。
【請求項２】
前記取り付け位置に取り付けられたロールシートの幅を検出する幅検出手段を有し、
前記設定手段により設定されるロールシートの情報は、前記幅検出手段により検出されたロールシートの幅の情報であることを特徴とする請求項１に記載の記録装置。
【請求項３】
ロールシートの種類及び長さを示す情報を取得する取得手段を有し、
前記設定手段により設定されるロールシートの情報は、前記取得手段により取得されるロールシートの種類及び長さを示す情報であることを特徴とする請求項１に記載の記録装置。
【請求項４】
前記取得手段は、ロールシートに記載されているロールシートの種類及び長さを示す情報を読み取ることにより当該情報を取得することを特徴とする請求項３に記載の記録装置。
【請求項５】
前記取得手段は、ユーザにより入力されたロールシートの種類及び長さを示す情報を取得することを特徴とする請求項３または４に記載の記録装置。
【請求項６】
ロールシート取り付け位置に取り付けられたロールシートに画像を記録する記録装置の制御方法であって、
前記取り付け位置に取り付けられたロールシートの情報を設定し、
前記取り付け位置に取り付けられたロールシートを取り外すための操作がなされてからロールシートの前記取り付け位置への取り付けの操作がなされるまでの間に、前記記録装置に設けられた検出手段によりロールシートが無いことが検出されたか判断し、
前記検出手段によりロールシートが無いことが検出されたと判断された場合、ロールシートの情報の再設定を行わせ、前記検出手段によりロールシートが無いことが検出されなかったと判断された場合、設定済みのロールシートの情報を維持することを特徴とする記録装置の制御方法。
【手続補正２】
【補正対象書類名】明細書
【補正対象項目名】０００１
【補正方法】変更
【補正の内容】
【０００１】
本発明は、記録装置及びその制御方法に関し、斜行やジャム等の要因に伴って実行するロールシートの取り付け直し時の処理に関する。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
しかしながら、上記従来例のようにジャムや斜行の発生により用紙を取り付け位置に取り付ける際は、通常の用紙取り付け動作に伴う処理を行うので、時間がかかるという問題がある。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明は、ロールシートを再度取り付け直す際に、ロールシートを取り除かずに再セットした場合、入力動作等、無駄な処理を省略することができ、また、時間を短縮することができる記録装置及びその制御方法を提供することを目的とする。
【手続補正９】
【補正対象書類名】明細書
【補正対象項目名】００１１
【補正方法】変更
【補正の内容】
【００１１】
本発明の記録装置は、ロールシート取り付け位置に取り付けられたロールシートに画像を記録する記録装置であって、前記取り付け位置に取り付けられたロールシートの情報を設定する設定手段と、ロールシートの有無を検出する検出手段と、前記取り付け位置に取り付けられたロールシートを取り外すための操作がなされてからロールシートの前記取り付け位置への取り付けの操作がなされるまでの間に、前記検出手段によりロールシートが無いことが検出されたか判断する判断手段と、前記判断手段により、前記検出手段によりロールシートが無いことが検出されたと判断された場合、前記設定手段により設定されたロールシートの情報の再設定を行わせ、前記検出手段によりロールシートが無いことが検出されなかったと判断された場合、前記設定手段により設定されたロールシートの情報を維持するよう制御する制御手段とを有することを特徴とする。
【手続補正１０】
【補正対象書類名】明細書
【補正対象項目名】００１２
【補正方法】変更
【補正の内容】
【００１２】
本発明によれば、ロールシートを再度取り付け直す際に、ロールシートを取り除かずに再セットした場合、以前のロールシートの情報を使用することによって、ロールシートのセットに伴う動作を省略できるので、入力動作等、無駄な処理や時間を短縮することができるという効果を奏する。
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
インクを吐出するノズルが形成されたノズルプレートを有するインクジェットヘッドと、
前記ノズルプレートに接触し、前記ノズルプレートのクリーニングを行うワイプブレードと、前記ワイプブレードを固定し、保持するブレード保持部材と、前記ブレード保持部材を支持するワイプベースと、を有するワイプ部と、
前記ワイプ部を保持するホルダと、を有し、
前記ワイプベースに対して前記ブレード保持部材は、前記ワイプベースにおける前記ブレード保持部材を支持する位置を回動中心として前記ワイプブレードによる前記ノズルプレートのクリーニングを行う走査方向と直交する面内で回動する、ことを特徴とする画像記録装置。
【請求項２】
前記ブレード保持部材は、支持部を介して前記ワイプベースに支持され、前記ブレード保持部材は、前記ワイプベースに対して、前記支持部を回動中心として回動する、ことを特徴とする請求項１に記載の画像記録装置。
【請求項３】
前記支持部は、前記ブレード保持部材に形成された貫通孔に挿通し、前記ブレード保持部材を支持する支持軸を有し、
前記支持軸の両端は、前記ワイプベースに固定され、前記ブレード保持部は、前記支持軸周りに回動する、ことを特徴とする請求項２に記載の画像記録装置。
【請求項４】
前記支持部は、前記ブレード保持部材と前記ワイプベースとの何れか一方に形成された凸部と、他方に形成され、前記凸部を支持する凹部と、を有し、
前記ブレード保持部材は、前記凸部及び凹部を嵌め込んだ位置を回動中心として回動する、ことを特徴とする請求項２に記載の画像記録装置。
【請求項５】
前記ノズルプレートのクリーニングの際、前記ブレード保持部材が前記ワイプベースに対して回動することによって、前記ワイプブレードは、前記ノズルプレートに倣う、ことを特徴とする請求項１乃至４のいずれか１項に記載の画像記録装置。
【請求項６】
前記ブレード保持部材は、前記ワイプベースに対して着脱可能である、ことを特徴とする請求項1乃至４のいずれか1項に記載の画像記録装置。
【請求項７】
前記ホルダは、バネを介して前記ワイプ部を保持する、ことを特徴とする請求項1乃至４の何れか１項に記載の画像記録装置。
【請求項８】
インクを吐出するノズルが形成されたノズルプレートを有するインクジェットヘッドと、
前記ノズルプレートに接触し、前記ノズルプレートのクリーニングを行う貫通孔を有するワイプブレードと、前記貫通孔に挿通し、前記ワイプブレードを支持する支持軸と、前記支持軸の両端を、前記ワイプブレードによる前記ノズルプレートのクリーニングを行う走査方向と平行となるように支持するワイプベースと、を有するワイプ部と、
前記ワイプ部を保持するホルダと、を有し、
前記ワイプベースに対して前記ワイプブレードは、前記支持軸を回動中心として回動する、ことを特徴とする画像記録装置。
【手続補正２】
【補正対象書類名】明細書
【補正対象項目名】０００７
【補正方法】変更
【補正の内容】
【０００７】
上記目的を達成するために、本発明の一実施形態の画像記録装置は、インクを吐出するノズルが形成されたノズルプレートを有するインクジェットヘッドと、前記ノズルプレートに接触し、前記ノズルプレートのクリーニングを行うワイプブレードと、前記ワイプブレードを固定し、保持するブレード保持部材と、前記ブレード保持部材を支持するワイプベースと、を有するワイプ部と、前記ワイプ部を保持するホルダと、を有し、前記ワイプベースに対して前記ブレード保持部材は、前記ワイプベースにおける前記ブレード保持部材を支持する位置を回動中心として前記ワイプブレードによる前記ノズルプレートのクリーニングを行う走査方向と直交する面内で回動する、ことを特徴とする。
【手続補正３】
【補正対象書類名】明細書
【補正対象項目名】０００８
【補正方法】変更
【補正の内容】
【０００８】
また、本発明の一実施形態の画像記録装置は、インクを吐出するノズルが形成されたノズルプレートを有するインクジェットヘッドと、前記ノズルプレートに接触し、前記ノズルプレートのクリーニングを行う貫通孔を有するワイプブレードと、前記貫通孔に挿通し、前記ワイプブレードを支持する支持軸と、前記支持軸の両端を、前記ワイプブレードによる前記ノズルプレートのクリーニングを行う走査方向と平行となるように支持するワイプベースと、を有するワイプ部と、前記ワイプ部を保持するホルダと、を有し、前記ワイプベースに対して前記ワイプブレードは、前記支持軸を回動中心として回動する、ことを特徴とする。